(57)【要約】【課題】トレーおよびコップ支持用ホルダーを使い易く、しかも子供向けのアクセサリー的要素を加味させて楽しく使えるよう設けた。【解決手段】動物の顔外面形状に、大径リング２前部の左右両側から耳をかたどった小径リング３ａ，３ｂ  を外方突出し、大径リング２はトレー嵌合用リングに、小径リングの一方はコップ嵌合用リングに、他方小径リングは、該リング内へ拇指を通して持つことが可能な把手に、それぞれ形成した。【選択図】  図３
2004180768.tif 000002
【特許請求の範囲】
【請求項１】
胴部上端へそれぞれ外向きフランジを付設したトレーと、コップとを共に保持できるホルダー１であって、
上方からみた形状が、キャラクター、愛玩物、動物等の外面形状を形どって、大径リング２前部の左右両側から小径リング３ａ，３ｂ  を前外方へ突出する形状となし、大径リング２は上記トレー嵌合用リングに、かつ小径リングの一方は、上記コップ嵌合用リングに、それぞれ形成し、他方の小径リングは、該小径リング内に拇指を通して持つことで、ホルダーの持ち運びが可能な把手に形成した
ことを特徴とする紙コップ等のホルダー。
【請求項２】
上記大径リング２とコップ嵌合用小径リング３ｂとの各内周部下面から第１短筒４，４を垂下させると共にこれ等両第１短筒下端から内向きフランジ５，５を介して第２短筒６，６を垂下させ、上記内向きフランジ上面をトレー又はコップ上端の外向きフランジ１０，１０  の載置面とした
ことを特徴とする請求項１記載の紙コップ等のホルダー。
【請求項３】
上記両小径リング３ａ，３ｂ  間に、ストラップ取付け部１２付きの連結板１３を架設した
ことを特徴とする、請求項１又は２記載の紙コップ等のホルダー。
【請求項４】
上方からみた形状が、キャラクター、愛玩物、動物等の形状に、大径リング２前部の左右両側から小径リング３ａ，３ｂ  を前外方へ突出する形状となし、
大径リング２の内周部からは有底筒１６を垂下して食品収納部を形成すると共に小径リングの一方は、コップ嵌合部に、かつ小径リングの他方は、該小径リング内に拇指を通して持つことで全体を持ち運び可能な把手に形成した
ことを特徴とする紙コップ等のホルダー。
【請求項５】
上記有底筒１６を浅皿に形成すると共に該浅皿底壁１７の上面へ動物、キャラクター、愛玩物等の画１８を表出させ、又上記両小径リング３ａ，３ｂ  間にストラップ取付け部１２付きの連結板１３を架設させた
ことを特徴とする請求項４記載の紙コップ等のホルダー。
【発明の詳細な説明】
【０００１】
【発明の属する技術分野】
本発明は紙コップ等のホルダーに関する。
【０００２】
【従来の技術】
例えば特開２００１−６１６３１号が示すカップホルダーは、左右にカップ嵌合孔を穿設した板外周の前後方向一半部、および該一半部の板部分の左右方向中間から、両カップ嵌合孔間の板部分の前後方向中間部までを、ほぼＥ字形状をなす、起伏自在な把手に形成し、上記両カップ嵌合孔内へそれぞれカップを嵌合させ、起立させた把手で持ち運び可能に形成している。
【０００３】
【発明が解決しようとする課題】
上記従来のホルダーは、カップ持ち運びの機能を重視するが、遊園地等で使用するためのホルダーであれば、子供にとって興味をそそる、アクセサリー的な要素を加味したホルダーであることが望ましい。
【０００４】
本発明は、ホルダー外形を、耳上方からみてキャラクター、愛玩具、動物等の外面形状とすることで、子供が楽しく使用できる形状とすると共に、そのホルダーを片手で確実に持つことが出来るよう、機能的にもすぐれたホルダーを提案するものである。
【０００５】
【課題を解決するための手段】
第１の手段として、胴部上端へそれぞれ外向きフランジを付設したトレーと、コップとを共に保持できるホルダー１であって、
上方からみた形状が、キャラクター、愛玩物、動物等の外面形状を形どって、大径リング２前部の左右両側から小径リング３ａ，３ｂ  を前外方へ突出する形状となし、大径リング２は上記トレー嵌合用リングに、かつ小径リングの一方は、上記コップ嵌合用リングに、それぞれ形成し、他方の小径リングは、該小径リング内に拇指を通して持つことで、ホルダーの持ち運びが可能な把手に形成した。
【０００６】
第２の手段として、上記第１の手段を有すると共に、上記大径リング２とコップ嵌合用小径リング３ｂとの各内周部下面から第１短筒４，４を垂下させると共にこれ等両第１短筒下端から内向きフランジ５，５を介して第２短筒６，６を垂下させ、上記内向きフランジ上面をトレー又はコップ上端の外向きフランジ１０，１０  の載置面とした。
【０００７】
第３の手段として、上記第１又は第２の手段を有すると共に、上記両小径リング３ａ，３ｂ  間に、ストラップ取付け部１２付きの連結板１３を架設した。
【０００８】
第４の手段として、上方からみた形状が、キャラクター、愛玩物、動物等の形状に、大径リング２前部の左右両側から小径リング３ａ，３ｂ  を前外方へ突出する形状となし、
大径リング２の内周部からは有底筒１６を垂下して食品収納部を形成すると共に小径リングの一方は、コップ嵌合部に、かつ小径リングの他方は、該小径リング内に拇指を通して持つことで全体を持ち運び可能な把手に形成した。
【０００９】
第５の手段として、上記第４の手段を有すると共に、上記有底筒１６を浅皿に形成すると共に該浅皿底壁１７の上面へ動物、キャラクター、愛玩物等の画１８を表出させ、又上記両小径リング３ａ，３ｂ  間にストラップ取付け部１２付きの連結板１３を架設させた。
【００１０】
【発明の実施の形態】
まず、図１から図３が示す第１実施形態について説明すると、１はトレーとコップとを保持可能に設けたホルダーで、該ホルダーは耳を起立する動物の顔外形を形どって、大径リング２の前部左右両側から小径リング３ａ，３ｂ  を前外方へ突出させた形状とし、大径リングは上記トレー嵌合用のリングに、又小径リングの一方はコップ嵌合用リングに、又他方の小径リングは、図３が示すように該小径リング内に拇指を通して持つことで、ホルダー１の持ち運びが可能に形成している。
【００１１】
図示例にあっては、上記大径リング２とコップ嵌合用の小径リング３ｂとは、各内周部下面から第１短筒４，４を垂下させると共に、これ等両第１短筒下端から内向きフランジ５，５を介して第２短筒６，６を垂下させ、上記内向きフランジ上面を後述のトレー又はコップ上端の外向きフランジ載置面としている。それ等第１短筒等は必要により設ければよく、設けない場合は各リング上面へ、上記各内向きフランジを載置させる。
【００１２】
トレー７とコップ８とは紙製でよく、胴部９，９上端に外向きフランジ１０，１０  を付設している。
【００１３】
図４は第２実施形態を示す。該実施形態は上記両小径リング３ａ，３ｂ  間にストラップ１１用の取付け部１２付きの連結板１３を架設したもので、図示例にあってはストラップ１１に付設したフック状の取付け金具１４嵌合用の取付け孔を上記連結板に横設している。又上記両小径リングを付設した大径リングの前方側リング部分を除くリング部分には、開孔又は印刷による適宜模様１５を付設している。
【００１４】
これ等連結板および模様は、ホルダーとして使用した後に該ホルダーをアクセサリーとして使用できるよう設けたものである。
【００１５】
図５と図６とは、第３実施形態を示す。該実施形態は、第１実施形態の場合と同様に、動物の顔外形を形どって大径リング２の前部左右両側から小径リング３ａ，３ｂ  を前外方へ突出するが、大径リング内周から有底筒１６を垂下し、該有底筒と大径リングとでトレー７を形成している。小径リング３ａ，３ｂ  の一方はコップ嵌合用に、又他方は拇指を挿通可能な把手とする。
【００１６】
図７は第４実施形態を示し、第３実施形態における有底筒１６を浅皿状とし、かつ該有底筒の底壁１７上面へ、子供向けの動物、キャラクター等の画１８を表示し、又図４の場合と同様に両小径リング間にストラップ取付け部１２付きの連結板１３を架設している。
【００１７】
既述の各ホルダーは、充分な強度を有する適宜合成樹脂材によりそれぞれ一体成形すればよい。
【００１８】
【発明の効果】
本発明は既述構成とするものであり、請求項１記載のようにすることで、トレー嵌合用と、コップ嵌合用と、拇指を挿通できる把手用としての各リングを動物の顔外面形状等に配置できるから、子供客に楽しみを与えることが出来、又上記把手用の小径リングを中心として図３のように大径リング１とコップ嵌合用の小径リング３ｂとを手前側と先方側に位置させてホルダーを持つことが出来、又把手用の小径リングには拇指を挿入させて持つことが出来るから食品、飲料水等を入れた、相当重量を有するトレーおよびコップ付きのホルダーを確実に安定させて持つことが出来る。又図２のように複数ホルダーを積み重ねできる。
【００１９】
請求項２のようにすることで、各リング内へトレーおよびコップを嵌合させ保持させることが容易となる。
【００２０】
請求項３のようにすることで、使用後のホルダーをアクセサリーとしても使用できる。
【００２１】
請求項４のようにすることで、請求項１の場合と同様、ホルダーとしての機能のほかに子供客に楽しみを持たせることが出来、又ホルダーとしても食品、飲料水の持ち運びが容易であり、請求項５のようにすることで請求項３の場合と同様に、使用後のホルダーをアクセサリーとして使用することが出来る。
【図面の簡単な説明】
【図１】本発明ホルダーの斜視図である。
【図２】図１ホルダーを複数重ねた状態で示す断面図である。
【図３】図１ホルダーの使用状態を示す斜視図である。
【図４】第２実施形態で示すホルダーの斜視図である。
【図５】第３実施形態で示すホルダーの使用状態を示す斜視図である。
【図６】図５ホルダーの断面図である。
【図７】第４実施形態で示すホルダーの斜視図である。
【符号の説明】
１…ホルダー                        ２…大径リング
３ａ，３ｂ…小径リング                ７…トレー
８…コップ
【図１】
2004180768.tif 000003
【図２】
2004180768.tif 000004
【図３】
2004180768.tif 000005
【図４】
2004180768.tif 000006
【図５】
2004180768.tif 000007
【図６】
2004180768.tif 000008
【図７】
2004180768.tif 000009